(57)【要約】【課題】普段生活している地域外の地域を走行した時にその地域に密着した情報を案内できるようにする。【解決手段】学習した走行履歴データ、地図データを記憶する記憶手段（３）と、記憶した走行履歴データを参照し、走行している地域が生活圏か否か判断する判断手段（４ｂ）と、走行している地域が生活圏外であると判断されたとき、走行している地域に密着した情報の表示優先順位を上げる表示優先順位変更手段（４ｃ）と、前記表示優先順位変更手段により上げられた表示優先順位に基づいて、走行している地域に密着した案内情報を施設検索結果の上位に位置づけて出力する制御手段（４ｄ）とを備えたものである。【選択図】        図１
2009042129.tif 000002
【特許請求の範囲】
【請求項１】
走行している地域の施設を案内するナビゲーション装置において、
学習した走行履歴データ、地図データを記憶する記憶手段と、
前記記憶手段に記憶した走行履歴データを参照し、走行している地域が生活圏か否か判断する判断手段と、
前記判断手段により走行している地域が生活圏外であると判断されたとき、走行している地域に密着した情報の表示優先順位を上げる表示優先順位変更手段と、
前記表示優先順位変更手段により上げられた表示優先順位に基づいて、走行している地域に密着した案内情報を施設検索結果の上位に位置づけて出力する制御手段と、
を備えたことを特徴とするナビゲーション装置。
【請求項２】
前記判断手段は、走行履歴データから、走行の頻度、最終更新日に基づいて走行している地域が生活圏か否か判断することを特徴とする請求項１記載のナビゲーション装置。
【請求項３】
前記表示優先順位変更手段は、地域に密着した情報に対応するアイコン表示の優先順位を上げ、前記制御手段は案内地図画面に前記アイコンを表示することを特徴とする請求項１記載のナビゲーション装置。
【請求項４】
走行履歴データを参照し、走行している地域が生活圏か否か判断するステップ、
走行している地域が生活圏外であると判断したとき、走行している地域に密着した情報の表示優先順位を上げるステップ、
優先順位を上げた表示順に基づいて、地域に密着した案内情報を検索した施設の上位に位置付けて出力するステップ、
をコンピュータに実行させることを特徴とするプログラム。
【発明の詳細な説明】
【技術分野】
【０００１】
本発明は、普段生活している地域外の地域を走行した時にその地域に密着した情報を案内できるようにしたナビゲーション装置及びプログラムに関する。
【背景技術】
【０００２】
従来、ナビゲーション装置における施設の検索においては、５０音順、距離順、ジャンル順等の検索ツールにより検索し、検索した施設のリストを表示している。
また、検索した施設の案内において、駅、学校、ガソリンスタンド、銀行、郵便局、コンビニ、ファミリーレストラン、公園等のジャンル情報を有するアイコンを案内地図画面上の該当する位置に表示することが行われている（特許文献１）。
【特許文献１】特開平１０−１５３４４９号公報
【発明の開示】
【発明が解決しようとする課題】
【０００３】
ところで、従来の施設検索においては、日常よく走行している地域か否かにかかわらず所定の検索ツールにより検索し、利用者がその土地に不慣れであるか否かに関係なく検索結果をリスト表示している。そのため、日常よく走行している地域の場合は必要のない情報が表示されたり、不慣れな地域を走行した場合に、その地域の特産物や観光名所を知ろうとしてもなかなか面倒であったり、利便性の面で十分ではなかった。
また、案内地図画面上に表示されるアイコンは、全国一律に駅、学校、ガソリンスタンド、銀行、郵便局、コンビニ、ファミリーレストラン、公園等のジャンル情報を表示するのが一般的であり、各地域における特産物や観光名所の情報を有するアイコンを表示することは行われておらず、地域の特産物や観光名所を特定するのは困難であった。
【課題を解決するための手段】
【０００４】
本発明は上記課題を解決しようとするもので、普段生活している地域外の地域を走行した時にその地域に密着した情報を案内できるようにすることを目的とする。
そのために本発明は、走行している地域の施設を案内するナビゲーション装置において、学習した走行履歴データ、地図データを記憶する記憶手段と、前記記憶手段に記憶した走行履歴データを参照し、走行している地域が生活圏か否か判断する判断手段と、前記判断手段により走行している地域が生活圏外であると判断されたとき、走行している地域に密着した情報の表示優先順位を上げる表示優先順位変更手段と、前記表示優先順位変更手段により上げられた表示優先順位に基づいて、走行している地域に密着した案内情報を施設検索結果の上位に位置づけて出力する制御手段とを備えたことを特徴とする。
また、本発明は、走行履歴データを参照し、走行している地域が生活圏か否か判断するステップ、走行している地域が生活圏外であると判断したとき、走行している地域に密着した情報の表示優先順位を上げるステップ、優先順位を上げた表示順に基づいて、地域に密着した案内情報を検索した施設の上位に位置付けて出力するステップをコンピュータに実行させることを特徴とする。
【発明の効果】
【０００５】
本発明は、生活圏外の地域を走行していると判断された時、その地域に密着した情報の表示順位を検索した施設の上位に上げるようにしたので、走行している地域特有の情報を案内することが可能となる。
【発明を実施するための最良の形態】
【０００６】
以下、本発明の実施の形態について説明する。
図１は本実施形態に係るナビゲーション装置の例を示す図である。出発地や目的地等の経路案内に関する情報を入力する入力装置１、自車両の現在位置に関する情報を検出する現在位置検出装置２、地図データ、学習した走行履歴データ、経路の探索に必要なナビゲーション用データ、経路案内に必要な表示／音声の案内データ、さらに地図の表示、経路探索、音声案内等の案内を行うためのプログラム（アプリケーション及び／又はＯＳ）等が記録されている情報記憶装置３、走行履歴を学習する学習手段４ａ、走行している地域が生活圏か否か判断する判断手段４ｂ、走行している地域が生活圏外であると判断されたとき、走行している地域に密着した情報の表示優先順位を上げる表示優先順位変更手段４ｃ、表示優先順位が変更されたとき、走行している地域に密着した案内情報を検索した施設の上位に位置付けて出力する制御手段４ｄを備え、ナビゲータ処理手段として地図の表示処理、経路探索処理、経路案内に必要な表示／音声案内処理、さらにシステム全体の制御を行う中央処理装置４、車両の走行に関する情報である、例えば道路情報、交通情報を送受信したり、車両の現在位置に関する情報を検出したり、さらに現在位置に関する情報を送受信したりする情報送受信装置５、経路案内に関する情報を出力するディスプレイやスピーカその他の出力装置６から構成されている。
【０００７】
次に、走行している地域が日常よく走行している生活圏エリアか、日常あまり走行していない非生活圏エリアであるかを、走行履歴データを用いて判断する例について図２、図３を参照して説明する。
図２は走行履歴の学習データの例を示す図、図３は愛知県のポリゴン地図（行政区画の境界を示す地図）をメッシュ状に区切り、各エリアが生活圏エリアか否かを表示した例を示す図である。
本実施形態における学習した走行履歴データの格納は、乗車日と、その日に走行したエリアとを順次登録することで行われる。この場合のエリアは、図３に示したポリゴン地図を縦横等間隔に区切ったエリアで、便宜上、図示のように１、２……ｉ……ｍ……ｎ−１、ｎのように番号を付す。この単位エリアの広さは、同じエリア内あれば生活習慣や地域の産物がほぼ同じであり、エリアが異なると地域特有の産物などが異なると考えられる程度のものであるので、縦横の間隔は、例えば、１０ｋｍ、２０ｋｍ、３０ｋｍ等適宜設定すればよい。なお、走行しているエリアの判定は、現在位置検出装置２で検出した現在位置と各エリアに属するポリゴン（県より小単位のポリゴン）の座標とのマッチング処理、或いは各エリアの４端点の緯度経度を求めて、このエリアとのマッチング処理により行われる。
【０００８】
図２に示すように、学習データは、乗車日と、その日に走行したエリア番号とを順次登録し、同じ日に複数のエリアを走行した場合には複数のエリア番号を登録し、１つのエリアのみ走行した場合にはそのエリア番号を登録する。例えば、１０日間乗車したとき、７日以上走行し（高い頻度）、７日以内に乗車日が更新されている場合のエリアは日頃よく走行していると考えられるので生活圏エリアと判断し、それ以外のエリアは、あまり走行していないと考えられるので非生活圏エリアと判断する。図２の例では番号ｉ，ｍのエリアが生活圏エリアであり、それ以外は非生活圏エリアとなる。
【０００９】
本実施形態では、生活圏エリア外（非生活圏エリア）と判断されたエリアを走行した時に施設検索し、検索結果の案内をする場合には表示優先順位を変更し、そのエリア特有の産物や観光名所などの地域に密着した情報の表示優先順位を上げて上位に表示する。
例えば、図４に示すように、施設検索した場合の通常の表示順位は、駅、学校、ガソリンスタンド、銀行、郵便局、コンビニ、ファミリーレストラン、公園の順（図４（ａ））であるとする。走行しているエリアが生活圏エリア外で、施設検索した施設リストを表示する時に、その地域の特産物／観光名所のような地域に密着した情報のジャンルを設けて、例えば、これの表示順位を最上位とし、他のジャンル情報の順位を順次繰り下げる（図４（ｂ））。また、各ジャンル情報に対応するアイコンの表示順位も図４（ａ）から図４（ｂ）のように変更する。このように表示優先順位を変更することで、生活圏エリア外の地域の特産物／観光名所など地域に密着した情報を容易に特定することが可能となる。
【図面の簡単な説明】
【００１０】
【図１】本実施形態のナビゲーション装置の構成を示すブロック図である。
【図２】学習データを説明する図である。
【図３】生活圏エリア、非生活圏エリアを説明する図である。
【図４】表示優先順位の変更を説明する図である。
【符号の説明】
【００１１】
１…入力装置、２…現在位置検出装置、３…情報記憶装置、４…中央処理装置、４ａ…学習手段、４ｂ…判断手段、４ｃ…表示優先順位変更手段、４ｄ…制御手段、５…情報送受信装置、６…出力装置、１０…案内ルート、１１…案内分岐点、２０…車両、３０…案内発話点。
【図１】
2009042129.tif 000003
【図２】
2009042129.tif 000004
【図３】
2009042129.tif 000005
【図４】
2009042129.tif 000006